(57)【要約】【課題】スピンドルケースに収納された光ディスクのタイトル等を記入して見出しとして用いるのに好適なインデックスシートを提供する。【解決手段】円盤状部１０１は光ディスクと略同一の外径を有し、中央に光ディスクに設けられている中心孔と略同一の直径の中心孔１０３を有する。突出部１０２は、円盤状部１０１と一体的に円盤状部１０１から突出して設けられ、ケース内に収納されたとき光ディスクの外周面に沿う方向に折り曲げられて、光ディスクに関する情報を記載する情報記載部１０６として使用される。突出部１０２と円盤状部１０１との境界領域に切り起こし部１０７が形成されている。【選択図】図１
2007297105.tif 000002
【特許請求の範囲】
【請求項１】
光ディスクを収納するケース内に前記光ディスクと共に収納され、前記光ディスクに関する情報を記載するためのインデックスシートにおいて、
前記光ディスクと略同一の外径を有し、中央に前記光ディスクに設けられている中心孔と略同一の直径の中心孔を有する円盤状部と、
前記円盤状部と一体的に前記円盤状部から突出して設けられ、前記ケース内に収納されたとき前記光ディスクの外周面に沿う方向に折り曲げられて、前記光ディスクに関する情報を記載する情報記載部として使用される突出部とを備え、
前記突出部における前記円盤状部側の端部と前記円盤状部における前記突出部側の端部にかけての境界領域に、前記円盤状部の内周側に向けて凸となっている切り込みまたは切り離し線による所定形状の切り起こし部が形成されていることを特徴とするインデックスシート。
【請求項２】
前記突出部における前記切り起こし部以外の部分に、前記突出部を折り曲げやすくするための前加工が施されていることを特徴とする請求項１記載のインデックスシート。
【請求項３】
前記前加工は筋押し加工またはミシン目により形成した折り曲げ線であり、この折り曲げ線は前記円盤状部の外周円よりも外周側に位置していることを特徴とする請求項２記載のインデックスシート。
【請求項４】
光ディスクを収納するケース内に前記光ディスクと共に収納され、前記光ディスクに関する情報を記載するためのインデックスシートにおいて、
前記光ディスクと略同一の外径を有し、中央に前記光ディスクに設けられている中心孔と略同一の直径の中心孔を有すると共に、外周端部近傍に開口または切り込みによる被係合部を有する円盤状部と、
前記円盤状部内に前記円盤状部から切り離し可能に設けられ、前記光ディスクに関する情報を記載する情報記載部と、前記被係合部と係合する係合部と、前記情報記載部と前記係合部とを連結する連結部とを有するインデックス片とを備えることを特徴とするインデックスシート。
【請求項５】
光ディスクを収納するケース内に前記光ディスクと共に収納され、前記光ディスクに関する情報を記載するためのインデックスシートにおいて、
前記光ディスクと略同一の外径を有し、中央に前記光ディスクに設けられている中心孔と略同一の直径の中心孔を有する円盤状部と、
前記円盤状部内に前記円盤状部から切り起こし可能に設けられ、前記円盤状部から切り離し可能で前記光ディスクに関する情報を記載する情報記載部と、前記情報記載部よりも前記円盤状部の外周側に位置し、一方の端部が前記情報記載部に連結すると共に他方の端部が前記円盤状部に連結して、前記他方の端部以外の部分が前記情報記載部と一体的に前記円盤状部から切り離し可能な連結部とを有するインデックス片とを備えることを特徴とするインデックスシート。
【請求項６】
ケース内に光ディスクを収納したケース収納光ディスクパッケージにおいて、
光ディスクに設けられている第１の中心孔に挿通される突出軸が設けられた台座とこの台座に係合する蓋とを有するケースと、
前記突出軸に前記第１の中心孔が挿通された状態で前記ケース内に積層されて収納された複数枚の光ディスクと、
前記ケース内に収納されたインデックスシートとを備え、
前記インデックスシートは、
前記光ディスクと略同一の外径を有し、中央に前記第１の中心孔と略同一の直径の第２の中心孔を有する円盤状部と、
前記円盤状部と一体的に前記円盤状部から突出して設けられ、前記突出軸に前記第２の中心孔が挿通された状態で前記ケース内に収納されたとき前記光ディスクの外周面に沿う方向に折り曲げられて、前記光ディスクに関する情報を記載する情報記載部として使用される突出部とを備え、
前記突出部における前記円盤状部側の端部と前記円盤状部における前記突出部側の端部にかけての境界領域に、前記円盤状部の内周側に向けて凸となっている切り込みまたは切り離し線による所定形状の切り起こし部が形成されていることを特徴とするケース収納光ディスクパッケージ。
【請求項７】
前記インデックスシートは、前記突出軸に前記第２の中心孔が挿通された状態で前記ケース内に予め収納されていることを特徴とする請求６記載のケース収納光ディスクパッケージ。
【発明の詳細な説明】
【技術分野】
【０００１】
本発明は、光ディスクに関連した情報であるタイトル等を記入して見出しとして用いるインデックスシート、及び、ケースに複数の光ディスクを収納した状態で商品として販売するケース収納光ディスクパッケージに関する。
【背景技術】
【０００２】
ＣＤ（コンパクトディスク）やＤＶＤ（デジタル多用途ディスク）等の光ディスクは記憶容量が大きいため大量の情報を記憶することができ、しかも取り扱いも簡便であることから、音楽データ，映像データ，パーソナルコンピュータ用のプログラム等の各種のデータを記憶するために用いられている。ＲＯＭ型の光ディスクに加え、ＣＤ−Ｒ，ＣＤ−ＲＷ，ＤＶＤ−Ｒ，ＤＶＤ−ＲＷ，ＤＶＤ−ＲＡＭ等の追記型または書き換え型（以下、記録型と総称する）の光ディスクも普及している。
【０００３】
ところで、記録型の光ディスクには、データを記録した後にタイトル等の情報を手書きまたはインクジェットプリンタ等の印刷装置で印刷することができるよう白等の単色のものがある。
また、光ディスクを収納するケースとしては、光ディスクを１枚ずつ収納するものの他、複数枚の光ディスクを収納するものもある。
【０００４】
複数枚の光ディスクを収納するケースとしては、特開２０００−１６８８７２号公報（特許文献１）に記載のものがある。特許文献１記載の光ディスク収納用のケースは、円形の底板を有する重畳台と、この底板の中央部から突出して光ディスクの中心孔に挿通される中央突出軸と、この中央突出軸に挿入されて積層された複数の光ディスクを覆う円錐台状の蓋とを備えたものである。このように構成されたケースはスピンドルケースと称されており、通常光ディスクを１０枚から５０枚程度の複数枚収納する。スピンドルケースによれば、光ディスクを１枚ずつケースに収納した場合と比較して、多くの枚数の光ディスクを収納する小型の商品形態とすることができる。スピンドルケース収納の光ディスクは、それぞれの光ディスクに対して１枚ずつのケースを必要としないユーザにとって好ましい商品形態である。
【０００５】
通常、複数枚の光ディスクを収納するスピンドルケースには、光ディスクのタイトル等を記入するためのインデックスシートは付属されていない。光ディスクを１枚のみ収納するケースに用いるインデックスシートの一例として、特開２００１−３１５８７８号公報（特許文献２）に記載のものがある。
【特許文献１】特開２０００−１６８８７２号公報
【特許文献２】特開２００１−３１５８７８号公報
【発明の開示】
【発明が解決しようとする課題】
【０００６】
スピンドルケースに収納された光ディスクに手書きまたは印刷装置にてタイトル等の情報を記入し、再びスピンドルケースに積層して収納した場合には、最上段の光ディスクを除き、光ディスクのタイトルを視認することができないという問題点がある。そこで、スピンドルケース収納の光ディスクという商品形態においても、インデックスシートを付属させることが望まれる。スピンドルケースは、積層された光ディスクの外周面と蓋の内周面との間隔が狭く、上記特許文献２に記載のようなインデックスシートをスピンドルケース収納の光ディスク用のインデックスシートとすることはできない。スピンドルケース収納の光ディスクに好適なインデックスシートが必要である。
【０００７】
本発明はこのような問題点に鑑みなされたものであり、スピンドルケースに収納された光ディスクのタイトル等を記入して見出しとして用いるのに好適なインデックスシートを提供することを目的とする。また、スピンドルケースに光ディスクを積層して収納した状態で、光ディスクの外周面とスピンドルケースの内周面との間隔が狭い場合でも、十分なタイトル等の記入面を有するインデックスシートを提供することを目的とする。さらに、このようなインデックスシートを付属させたケース収納光ディスクパッケージを提供することを目的とする。
【課題を解決するための手段】
【０００８】
本発明は、上述した従来の技術の課題を解決するため、光ディスク（Ｄ）を収納するケース（５００）内に前記光ディスクと共に収納され、前記光ディスクに関する情報を記載するためのインデックスシート（１０，１０’，１０”）において、前記光ディスクと略同一の外径を有し、中央に前記光ディスクに設けられている中心孔と略同一の直径の中心孔（１０３）を有する円盤状部（１０１）と、前記円盤状部と一体的に前記円盤状部から突出して設けられ、前記ケース内に収納されたとき前記光ディスクの外周面に沿う方向に折り曲げられて、前記光ディスクに関する情報を記載する情報記載部（１０６，１１６，１２６）として使用される突出部（１０２，１１２，１２２）とを備え、前記突出部における前記円盤状部側の端部と前記円盤状部における前記突出部側の端部にかけての境界領域に、前記円盤状部の内周側に向けて凸となっている切り込み（１０４，１１４，１２４）または切り離し線による所定形状の切り起こし部（１０７，１１７，１２７）が形成されていることを特徴とするインデックスシートを提供する。
ここで、前記突出部における前記切り起こし部以外の部分に、前記突出部を折り曲げやすくするための前加工が施されていることが好ましい。このとき、前記前加工は筋押し加工またはミシン目により形成した折り曲げ線（１０５，１１５，１２５）であり、この折り曲げ線は前記円盤状部の外周円よりも外周側に位置していることが好ましい。
【０００９】
また、本発明は、上述した従来の技術の課題を解決するため、光ディスク（Ｄ）を収納するケース（５００）内に前記光ディスクと共に収納され、前記光ディスクに関する情報を記載するためのインデックスシート（２０）において、前記光ディスクと略同一の外径を有し、中央に前記光ディスクに設けられている中心孔と略同一の直径の中心孔（２０３）を有すると共に、外周端部近傍に開口または切り込みによる被係合部（２２０）を有する円盤状部（２０１，２０１’）と、前記円盤状部内に前記円盤状部から切り離し可能に設けられ、前記光ディスクに関する情報を記載する情報記載部（２１１）と、前記被係合部と係合する係合部（２１３）と、前記情報記載部と前記係合部とを連結する連結部（２１２）とを有するインデックス片（２１０，２１０’）とを備えることを特徴とするインデックスシートを提供する。
【００１０】
さらに、光ディスク（Ｄ）を収納するケース（５００）内に前記光ディスクと共に収納され、前記光ディスクに関する情報を記載するためのインデックスシート（３０）において、前記光ディスクと略同一の外径を有し、中央に前記光ディスクに設けられている中心孔と略同一の直径の中心孔（３０３）を有する円盤状部（３０１）と、前記円盤状部内に前記円盤状部から切り起こし可能に設けられ、前記円盤状部から切り離し可能で前記光ディスクに関する情報を記載する情報記載部（３１１）と、前記情報記載部よりも前記円盤状部の外周側に位置し、一方の端部が前記情報記載部に連結すると共に他方の端部が前記円盤状部に連結して、前記他方の端部以外の部分が前記情報記載部と一体的に前記円盤状部から切り離し可能な連結部（３１２）とを有するインデックス片（３１０）とを備えることを特徴とするインデックスシートを提供する。
【００１１】
さらにまた、ケース内に光ディスクを収納したケース収納光ディスクパッケージにおいて、光ディスクに設けられている第１の中心孔に挿通される突出軸（５０３）が設けられた台座（５０１）とこの台座に係合する蓋（５０２）とを有するケース（５００）と、前記突出軸に前記第１の中心孔が挿通された状態で前記ケース内に積層されて収納された複数枚の光ディスク（Ｄ）と、前記ケース内に収納されたインデックスシート（１０，１０’，１０”）とを備え、前記インデックスシートは、前記光ディスクと略同一の外径を有し、中央に前記第１の中心孔と略同一の直径の第２の中心孔（１０３）を有する円盤状部（１０１）と、前記円盤状部と一体的に前記円盤状部から突出して設けられ、前記突出軸に前記第２の中心孔が挿通された状態で前記ケース内に収納されたとき前記光ディスクの外周面に沿う方向に折り曲げられて、前記光ディスクに関する情報を記載する情報記載部（１０６，１１６，１２６）として使用される突出部（１０２，１１２，１２２）とを備え、前記突出部における前記円盤状部側の端部と前記円盤状部における前記突出部側の端部にかけての境界領域に、前記円盤状部の内周側に向けて凸となっている切り込み（１０４，１１４，１２４）または切り離し線による所定形状の切り起こし部（１０７，１１７，１２７）が形成されていることを特徴とするケース収納光ディスクパッケージを提供する。
ここで、前記インデックスシートは、前記突出軸に前記第２の中心孔が挿通された状態で前記ケース内に予め収納されていることが好ましい。
【発明の効果】
【００１２】
本発明のインデックスシートによれば、スピンドルケースに収納された光ディスクのタイトル等を記入して見出しとして用いることが可能である。また、スピンドルケースに光ディスクを積層して収納した状態で、光ディスクの外周面とスピンドルケースの内周面との間隔が狭い場合でも、十分なタイトル等の記入面を確保することが可能となる。さらに、本発明のケース収納光ディスクパッケージによれば、本発明のインデックスシートが付属しているので、ケース収納光ディスクパッケージの商品力を高めることができる。
【発明を実施するための最良の形態】
【００１３】
以下、本発明のインデックスシート及びケース収納光ディスクパッケージについて、添付図面を参照して説明する。図１は本発明のインデックスシートの第１実施形態を示す平面図、図２は図１の部分拡大図、図３は第１実施形態のインデックスシートを付属させたケース収納光ディスクパッケージの実施形態を示す断面図、図４は第１実施形態のインデックスシートの使用状態の例を示す断面図、
図５は第１実施形態の第１の変形例を示す部分平面図、図６は第１実施形態の第２の変形例を示す部分平面図、図７は本発明のインデックスシートの第２実施形態を示す平面図、図８は第２実施形態のインデックスシートの使用状態の例を示す部分斜視図、図９は第２実施形態の第１の変形例を示す部分斜視図、図１０は第２実施形態の第２の変形例を示す部分斜視図、図１１は本発明のインデックスシートの第３実施形態を示す平面図、図１２は第３実施形態のインデックスシートの使用状態の例を示す部分斜視図、図１３は本発明のインデックスシートの第４実施形態を示す平面図、図１４は本発明のインデックスシートの第５実施形態を示す平面図である。
【００１４】
＜第１実施形態＞
図１または図２において、第１実施形態のインデックスシート１０は、光ディスクＤ（図３参照）とほぼ同じか若干大きい寸法の外径を有する円盤状部１０１と、円盤状部１０１に一体的に設けられ、円盤状部１０１から突出して形成された一対の突出部１０２とを備える。ここでは突出部１０２を一対としたが、少なくとも１つ設ければよい。突出部１０２は後述するようにタイトル等を記載するための情報記載部１０６となっている。このインデックスシート１０は例えば紙またはプラスチックよりなる。筆記が容易であることから、紙を用いる方が好ましい。円盤状部１０１の中央には光ディスクＤの中央に形成されている中心孔とほぼ同じ寸法（直径）の中心孔１０３が設けられている。
【００１５】
突出部１０２における円盤状部１０１側の端部と円盤状部１０１における突出部１０２側の端部にかけての境界領域には、中心孔１０３（円盤状部１０１の内周側）に向けて凸となっている円弧状の切り込み１０４が形成されている。ここでは切り込みとしたが、切り込みの代わりにミシン目のようにユーザが容易に切り離すことができる切り離し線であってもよい。この切り込み１０４または切り離し線で囲われた部分は、所定形状（ここでは半円状）の切り起こし部１０７となる。
【００１６】
切り込み１０４の両端部１０４ａ，１０４ｂは、円盤状部１０１の外周円上とほぼ同じ位置か、外周円よりも若干外側に位置している。両端部１０４ａ，１０４ｂを円盤状部１０１の外周円よりも外側に位置させると、インデックスシート１０をスピンドルケース５００（図３参照）に収納した際に、突出部１０２とスピンドルケース５０内に積層された光ディスクＤの外周面との干渉が避けられる。従って、両端部１０４ａ，１０４ｂを円盤状部１０１の外周円よりも外側に位置させることは好ましい。但し、両端部１０４ａ，１０４ｂを円盤状部１０１の外周円よりも過度に外側に位置させると、インデックスシート１０がスピンドルケース５０内に収納できなくなるおそれが生じるので、両端部１０４ａ，１０４ｂを円盤状部１０１の外周円よりも１〜２ｍｍ外側に位置させることが好ましい。
【００１７】
さらに、突出部１０２には、切り込み１０４の両端部１０４ａ，１０４ｂから突出部１０２の両側端部に向けて、筋押し加工またはミシン目による折り曲げ線１０５が形成されている。筋押し加工やミシン目は、突出部１０２の折り曲げを容易にする前加工の例である。切り込み１０４を挟む２つの折り曲げ線１０５はほぼ一直線上に位置している。切り込み１０４の両端部１０４ａ，１０４ｂを円盤状部１０１の外周円よりも１〜２ｍｍ外側に位置させた場合には、２つの折り曲げ線１０５を含む直線も同様に円盤状部１０１の外周円よりも１〜２ｍｍ程度外側に位置することになる。
【００１８】
図２において、突出部１０２が折り曲げ線１０５を山として例えば直角に折り曲げられると、突出部１０２の折り曲げ線１０５よりも外周側部分がタイトル等の各種の情報を記載（記入）するための情報記載部１０６となる。ここでは、情報記載部１０６に一例として“ポップス”と記載している。また、切り込み１０４の部分は円盤状部１０１から起き上がって、切り起こし部１０７となる。ここでの切り起こし部１０７は舌状であり、以下、舌部１０７と称することとする。なお、後述する図３，図４からも分かるように、情報記載部１０６と舌部１０７との全体が、スピンドルケース５０内に積層された光ディスクＤの外周面に沿った面となるので、タイトル等の情報を舌部１０７にも記載してもよい。
【００１９】
図３は、以上のように構成された第１実施形態のインデックスシート１０を付属させたケース収納光ディスクパッケージの実施形態を示している。図３はケース収納光ディスクパッケージの販売時の商品形態の一例である。図３において、複数枚の光ディスクＤがスピンドルケース５００内に収納されている。光ディスクＤはＣＤ−Ｒ，ＣＤ−ＲＷ，ＤＶＤ−Ｒ，ＤＶＤ−ＲＷ，ＤＶＤ−ＲＡＭ等である。スピンドルケース５００は、射出成形により形成されたプラスチック製の円形の台座５０１と、透明なプラスチック樹脂により形成された円錐台状の蓋５０２とを備える。蓋５０２は円筒の一端（図３の上部）を塞ぎ、他端（図３の下部）を開放させた形状である。なお、ここでは蓋５０２を円錐台状としているが、上部と下部との径が同じ円筒状であってもよい。
【００２０】
台座５０１の中央には光ディスクＤの中心孔に挿通される突出軸５０３が台座５０１と一体に形成されている。なお、突出軸５０３を台座５０１と別体とし、台座５０１に突出軸５０３を取り付けるような構成であってもよい。また、台座５０１には光ディスクＤを受けるためのリング状に突出した受け部５０４が形成され、外周端部には蓋５０２を台座５０１に係合させるための係合部５０５が形成されている。
【００２１】
複数枚の光ディスクＤは、突出軸５０３に中心孔が挿通された状態で台座５０１上に載置されている。そして、複数枚のインデックスシート１０が突出軸５０３に中心孔１０３が挿通された状態で複数枚の光ディスクＤの最上部に載置されている。ここでは簡略化のためインデックスシート１０を２枚しか図示していないが、光ディスクＤの枚数分のインデックスシート１０を光ディスクＤに付属させてもよい。なお、ケース収納光ディスクパッケージの販売時点でスピンドルケース５００はプラスチックシートにより包装されていることは当然のことであるが、ここでは図示を省略している。図３ではインデックスシート１０を即使用可能な状態でスピンドルケース５００内に収納しているが、例えばインデックスシート１０を半分折にして収納してもよい。
【００２２】
図４を用いてインデックスシート１０の使用状態の例について説明する。図４に示すように、インデックスシート１０が積層された光ディスクＤの間に挿入されている。前述のように、折り曲げ線１０５を山として突出部１０２を円盤状部１０１に対して直角に折り曲げると、突出部１０２は積層された光ディスクＤの外周面に沿う。突出部１０２は光ディスクＤの外周面に当接するか近接する。突出部１０２の情報記載部１０６にタイトル等の情報を記載することにより、蓋５０２の外側から光ディスクＤタイトル等を確認することが可能となる。なお、図４では情報記載部１０６が下となるようインデックスシート１０を光ディスクＤ間に挿入させているが、舌部１０７が下となるように挿入させてもよい。
【００２３】
ケース収納光ディスクパッケージにはインデックスシート１０を光ディスクＤの枚数分だけ（またはそれ以上）付属させると、光ディスクＤとインデックスシート１０とを交互に配置して、全ての光ディスクＤに対してインデックスシート１０を対応させることができるので好ましいが、複数枚の光ディスクＤに対して１枚のインデックスシート１０としてもよい。この場合は、インデックスシート１０は、複数枚の光ディスクＤからなる群の情報を示すように用いればよい。例えば、複数枚のインデックスシート１０を色分けしておき、複数枚の光ディスクＤからなる群の区分けとして用いることができる。
【００２４】
図５は、図１，図２における突出部１０２の形状を変形させた第１の変形例のインデックスシート１０’を示す部分拡大図である。図５において、図１，図２と実質的に同一の部分には同一の符号を付し、その説明を省略する。図５において、円盤状部１０１には突出部１１２が一体的に形成されている。突出部１１２は、図１，図２の半円状の突出部１０２とは異なり、角を丸めた略矩形状となっている。突出部１１２と円盤状部１０１との境界領域には、切り込み１１４が形成されており、切り込み１１４の端部１１４ａから突出部１１２の側端部に向けて、筋押し加工またはミシン目による折り曲げ線１１５が形成されている。この第１の変形例によるインデックスシート１０’の使用方法は図１，図２のインデックスシート１０と同様である。
【００２５】
インデックスシート１０’においては、情報記載部１１６の幅が広いので、十分な情報の記載エリアを得ることができ、舌部１１７の幅も広いので、舌部１１７も情報の記載エリアとして用いることもできる。
【００２６】
さらに、図６は、図１，図２における突出部１０２の形状を変形させた第２の変形例のインデックスシート１０”を示す部分拡大図である。図６において、図１，図２と実質的に同一の部分には同一の符号を付し、その説明を省略する。図６において、円盤状部１０１には突出部１２２が一体的に形成されている。突出部１２２は、図５の第１の変形例と同様、角を丸めた略矩形状となっている。突出部１２２と円盤状部１０１との境界領域には、２つの切り込み１２４が形成されており、一方の切り込み１２４の端部１２４ａから他方の切り込み１２４の端部１２４ｂとの間には、筋押し加工またはミシン目による折り曲げ線１２５が形成されている。この第２の変形例によるインデックスシート１０”の使用方法も図１，図２のインデックスシート１０と同様である。
【００２７】
インデックスシート１０”においても、情報記載部１２６の幅が広いので、十分な情報の記載エリアを得ることができる。また、２つの舌部１２７を情報の記載エリアとして用いることもできる。
【００２８】
＜第２実施形態＞
第１実施形態のインデックスシート１０，１０’，１０”では、突出部１０２，１１２，１２２に切り込み１０４，１１４，１２４を有するので情報記載部１０６，１１６，１２６に文字等を記入する際に突出部１０２，１１２，１２２がぐらつく可能性がある。第２実施形態はこのような可能性をなくした（低減させた）ものである。
【００２９】
図７において、第２実施形態のインデックスシート２０は、光ディスクＤとほぼ同じか若干大きい寸法の外形を有する円盤状部２０１を有する。円盤状部２０１の中央には光ディスクＤの中央に形成されている中心孔とほぼ同じ寸法の中心孔２０３が設けられている。インデックスシート２０は紙またはプラスチックよりなり、紙を用いることが好ましいことは第１実施形態と同様である。このインデックスシート２０（円盤状部２０１）には、情報記載部２１１と、係合部２１３と、情報記載部２１１と係合部２１３とを連結する腕状の連結部２１２とよりなるインデックス片２１０が設けられている。このインデックス片２１０はミシン目２１４等により円盤状部２０１から分離可能とされている。
【００３０】
また、円盤状部２０１には、中心孔２０３を挟んでインデックス片２１０が設けられている位置と対向する位置に一対の開口２２０が形成されている。ここでは２つの開口２２０を設けたが、２つの開口２２０を連結させて１つの開口としてもよい。また、ここでは所定の面積を有する開口としたが、スリットのような切り込みであってもよい。開口２２０または切り込みは係合部２１３を係合させる被係合部である。なお、開口２２０は円盤状部２０１の外周端部近傍に設ける必要があるが、インデックス片２１０と開口２２０との位置関係は図７に限定されるものではない。インデックス片２１０を設ける位置は任意でよい。また、情報記載部２１１の大きさや形状に適宜設定してよい。さらに、インデックス片２１０と対の開口２２０とをそれぞれ複数設けてもよし、書き損じを考慮してインデックス片２１０を対の開口２２０より多く設けてもよい。
【００３１】
ここで、連結部２１２の幅Ｗ１は一対の開口２２０の幅Ｗ３とほぼ同じか若干狭くする。係合部２１３の幅Ｗ２は開口２２０の幅Ｗ３よりも十分に大きくする。連結部２１２の長さＬ１は、開口２２０の外周側の端部から円盤状部２０１の外周端部までの距離Ｌ２とほぼ同じか若干長くする。これは、後述する図８の説明から分かるように、インデックスシート２０をスピンドルケース５００に収納した際に、情報記載部２１１がスピンドルケース５０内に積層された光ディスクＤの外周面と干渉しないようにするためである。
【００３２】
次に、図８を用いて第２実施形態のインデックスシート２０の使用方法について説明する。ユーザはインデックス片２１０を円盤状部２０１から切り離していない図７の状態で情報記載部２１１にタイトル等の情報を記入し、円盤状部２０１からインデックス片２１０をミシン目２１４に沿って切り離す。図８に示すように、係合部２１３の両端部を開口２２０に挿入してインデックス片２１０を円盤状部２０１に係合させる。また、情報記載部２１１を連結部２１２に対してほぼ直角に折り曲げる。情報記載部２１１を折り曲げやすくするよう、情報記載部２１１と連結部２１２との境界に筋押し加工やミシン目を施してもよい。インデックス片２１０をミシン目２１４に沿って切り離す際に情報記載部２１１と連結部２１２とが誤って切り離されることがないよう、情報記載部２１１と連結部２１２との境界を筋押し加工とするか、ミシン目２１４よりも切り離しにくいミシン目とすることが好ましい。
【００３３】
このようにしたインデックスシート２０を図４と同様に光ディスクＤと共にスピンドルケース５００内に収納する。連結部２１２の長さＬ１が開口２２０の外周側の端部から円盤状部２０１の外周端部までの距離Ｌ２とほぼ同じか若干長くなっているので、情報記載部２１１がスピンドルケース５０内に積層された光ディスクＤの外周面から離間して情報記載部２１１が光ディスクＤの外周面と干渉しない。このように第２実施形態においては、インデックス片２１０が円盤状部２０１と一体になった状態のインデックスシート２０に対して情報記載部２１１に情報を記載するので、情報記載部２１１が不用意に動くことがなく記載がしやすいという特長を有する。
【００３４】
図９は、図７，図８の第１の変形例であり、図６，図７のインデックス片２１０の代わりにインデックス片２１０’としたものである。インデックス片２１０’は、情報記載部２１１の連結部２１２側の端部から連結部２１２側に円弧状の切り込みを設けることにより、情報記載部２１１を折り曲げた際に舌部２１５が形成されるように構成したものである。このようにすると、インデックスシート２０をスピンドルケース５００内に収納した際に、情報記載部２１１の上方にも光ディスクＤの外周面に沿う部分が形成されるので、情報記載部２１１の姿勢が安定しやすい。
【００３５】
図１０は、図７，図８の第２の変形例であり、インデックス片２１０の円盤状部２０１に対する取り付け（係合）を安定させることができるよう構成したものである。第２の変形例の円盤状部を円盤状部２０１’とする。この第２の変形例ではインデックス片２１０自体は図７，図８と同じであり、円盤状部２０１’を図７，図８の盤状部２０１と異ならせている。即ち、図１０に示すように、円盤状部２０１’には、一対の開口２２０と円盤状部２０１’の外周端部との間にスリット２２１が形成されている。スリット２２１は係合部２１３の幅Ｗ２とほぼ同じ長さを有する。
【００３６】
インデックス片２１０の係合部２１３を円盤状部２０１’の下側からスリット２２１を通して上側に出す。そして、図７と同様、係合部２１３の両端部を開口２２０に挿入してインデックス片２１０を円盤状部２０１’に係合させる。これにより、図１０に示す使用状態となる。この第２の変形例では、連結部２１２を円盤状部２０１’が上下で挟むことになるので、インデックス片２１０の姿勢が安定する。
【００３７】
＜第３実施形態＞
第２実施形態のインデックスシート２０は、インデックス片２１０，２１０’の円盤状部２０１，２０１’への取り付けが若干煩雑である。図１１，図１２に示す第３実施形態はそのような煩雑さをなくした（軽減させた）ものである。
【００３８】
図１１において、第３実施形態のインデックスシート３０は、光ディスクＤとほぼ同じか若干大きい寸法の外形を有する円盤状部３０１を有する。円盤状部３０１の中央には光ディスクＤの中央に形成されている中心孔とほぼ同じ寸法の中心孔３０３が設けられている。インデックスシート３０は紙またはプラスチックよりなり、紙を用いることが好ましいことは第１，第２実施形態と同様である。
【００３９】
このインデックスシート３０（円盤状部３０１）には、情報記載部３１１と連結部３１２とよりなるインデックス片３１０が設けられている。ここでの連結部３１２は情報記載部３１１と円盤状部３０１とを連結する。連結部３１２の外周側の端部を除き、情報記載部３１１と連結部３１２との周囲にはミシン目３１４が施されている。従って、情報記載部３１１はミシン目３１４に沿って円盤状部３０１から切り離し可能であり、連結部３１２は、外周側の端部が円盤状部３０１に連結した状態で情報記載部３１１と一体的に円盤状部３０１から切り離し可能である。これにより、インデックス片３１０を円盤状部３０１から切り起こすことができる。連結部３１２の長さＬ３は、連結部３１２の外周側の端部から円盤状部３０１の外周端部までの距離Ｌ４とほぼ同じか若干長くする。
【００４０】
ユーザはインデックス片３１０を円盤状部３０１から切り起こしていない図１１の状態で情報記載部３１１にタイトル等の情報を記入し、円盤状部３０１からインデックス片３１０をミシン目３１４に沿って切り離す。そして、図１２に示すように、連結部３１２の外周側の端部でインデックス片３１０を折り返し、情報記載部３１１を折り曲げる。情報記載部３１１と連結部３１２との境界に筋押し加工やミシン目を施してもよい。この第３実施形態においても、図９と同様の舌部を設けてもよい。また、インデックス片３１０を円盤状部３０１に複数設けてもよい。第３実施形態によれば、情報記載部３１１への情報の記載が容易であり、インデックスシート３０を使用する際の作業も煩雑でない。
【００４１】
＜第４実施形態＞
図１３に示す第４実施形態のインデックスシート４０は、第１実施形態のインデックスシート１０よりも大きい紙４０１に、切り離すとインデックスシート１０と同じ形状となるミシン目によるインデックスシート切り取り体１００を形成したものである。このようにすると、情報記載部１０６にプリンタを用いて情報を記載することが容易になる。紙４０１の大きさは図１３に示すものに限定されず、さらに大きくしてもよく、大きな紙４０１とした場合にはインデックスシート切り取り体１００を複数形成することも可能である。ここではインデックスシート切り取り体１００を図１，図２に示すインデックスシート１０と同一形状としたが、図５，図６と同一形状としてもよい。なお、第４実施形態のインデックスシート４０をスピンドルケース５００に収納する場合には、インデックスシート４０を折り畳めばよい。
【００４２】
＜第５実施形態＞
図１４に示す第５実施形態のインデックスシート５０は、第２実施形態のインデックスシート２０よりも大きい紙５４０１に、切り離すとインデックスシート２０と同じ形状となるミシン目によるインデックスシート切り取り体２００を形成したものである。このようにすると、インデックス片２１０の情報記載部２１１にプリンタを用いて情報を記載することが容易になる。紙５０１の大きさは図１４に示すものに限定されず、さらに大きくしてもよく、大きな紙５０１とした場合にはインデックスシート切り取り体２００を複数形成することも可能である。また、図１４に示すように、紙５０１のインデックスシート切り取り体２００以外の余白領域にインデックス片２１０を複数設けておくこともできる。このようにすると、タイトル等を書き損じたり、書き直したりしたい場合に予備のインデックス片２１０を用いることが可能となる。なお、第５実施形態のインデックスシート５０をスピンドルケース５００に収納する場合には、インデックスシート５０を折り畳めばよい。
【００４３】
本発明は以上説明した各実施形態に限定されることはなく、本発明の要旨を逸脱しない範囲において種々変更が可能である。
【図面の簡単な説明】
【００４４】
【図１】本発明のインデックスシートの第１実施形態を示す平面図である。
【図２】図１の部分拡大図である。
【図３】第１実施形態のインデックスシートを付属させたケース収納光ディスクパッケージの実施形態を示す断面図である。
【図４】第１実施形態のインデックスシートの使用状態の例を示す断面図である。
【図５】第１実施形態の第１の変形例を示す部分平面図である。
【図６】第１実施形態の第２の変形例を示す部分平面図である。
【図７】本発明のインデックスシートの第２実施形態を示す平面図である。
【図８】第２実施形態のインデックスシートの使用状態の例を示す部分斜視図である。
【図９】第２実施形態の第１の変形例を示す部分斜視図である。
【図１０】第２実施形態の第２の変形例を示す部分斜視図である。
【図１１】発明のインデックスシートの第３実施形態を示す平面図である。
【図１２】第３実施形態のインデックスシートの使用状態の例を示す部分斜視図である。
【図１３】本発明のインデックスシートの第４実施形態を示す平面図である。
【図１４】本発明のインデックスシートの第５実施形態を示す平面図である。
【符号の説明】
【００４５】
１０，２０，３０，４０，５０  インデックスシート
１０１，２０１，２０１’，３０１  円盤状部
１０２，１１２，１２２  突出部
１０３，２０３，３０３  中心孔
１０４，１１４，１２４  切り込み
１０５，１１５，１２５  折り曲げ線
１０６，１１６，１２６，２１１，３１１  情報記載部
１０７，１１７，１２７，２１５  舌部（切り起こし部）
２１０，２１０’，３１０  インデックス片
２１２，３１２  連結部
２１３  係合部
２２０  開口（被係合部）
５００  ケース
５０１  台座
５０２  蓋
５０３  突出軸
Ｄ  光ディスク
【図１】
2007297105.tif 000003
【図２】
2007297105.tif 000004
【図３】
2007297105.tif 000005
【図４】
2007297105.tif 000006
【図５】
2007297105.tif 000007
【図６】
2007297105.tif 000008
【図７】
2007297105.tif 000009
【図８】
2007297105.tif 000010
【図９】
2007297105.tif 000011
【図１０】
2007297105.tif 000012
【図１１】
2007297105.tif 000013
【図１２】
2007297105.tif 000014
【図１３】
2007297105.tif 000015
【図１４】
2007297105.tif 000016